(57)【要約】      （修正有）【課題】専用の輝度検出部を設けることなく、有機ELディスプレイの輝度調整を可能にした撮像装置を提供する。【解決手段】光学系ファインダと、光路を光学ファインダへ導く可動式ミラーと、光学ファインダ内に配置された有機ELディスプレイを用いたファインダ内表示部３００と、ファインダ内表示部の輝度を調整する輝度調整手段と、光学系ファインダから導かれた光による被写体輝度と、ファインダ内表示部の表示輝度とを測定可能な位置に配置された測光部１０６とを有する。【選択図】図３
2016102841.tif 000002
【特許請求の範囲】
【請求項１】
光学系ファインダ（１１９）と、
光路を前記光学ファインダ（１１９）へ導く可動式ミラー（１０４）と、
前記光学ファインダ（１１９）内に配置された有機ELディスプレイを用いたファインダ内表示部（３００）と、
前記ファインダ内表示部（３００）の輝度を調整する輝度調整手段と、
前記光学系ファインダ（１１９）から導かれた光による被写体輝度と、前記ファインダ内表示部（３００）の表示輝度とを測定可能な位置に配置された測光部（１０６）と、
を有することを特徴とする撮像装置。
【請求項２】
前記撮像装置は、
前記測光部（１０６）によって測定された、ファインダ内表示部（３００）の測定輝度値を記録する記録手段と、
を有することを特徴とする請求項１に記載の撮像装置。
【請求項３】
交換レンズが装着可能なカメラ本体であって、
光学系ファインダ（１１９）と、
光路を前記光学ファインダ（１１９）へ導く可動式ミラー（１０４）と、
前記光学ファインダ（１１９）内に配置された有機ELディスプレイを用いたファインダ内表示部（３００）と、
前記ファインダ内表示部（３００）の輝度を調整する輝度調整手段と、
前記光学系ファインダ（１１９）から導かれた光による被写体輝度と、前記ファインダ内表示部（３００）の表示輝度とを測定可能な位置に配置された測光部（１０６）と、
を有することを特徴とするカメラ本体。
【請求項４】
前記カメラ本体は、
前記測光部（１０６）によって測定された、ファインダ内表示部（３００）の測定輝度値を記録する記録手段と、
を有することを特徴とする請求項３に記載のカメラ本体。
【請求項５】
請求項１乃至請求項４の何れか一項に記載のコンピュータに実行させるプログラム。
【発明の詳細な説明】
【技術分野】
【０００１】
本発明は、撮像装置に関し、特に表示装置を有する撮像装置に関する。
【背景技術】
【０００２】
従来から、撮像装置にはユーザーに撮影画像や設定情報を知らせるための表示装置が搭載されている。近年は、表示装置として自己発光素子である有機EL素子を用いた有機ELディスプレイを搭載する製品が普及しており、従来の液晶ディスプレイに比べコントラストが高く、応答の速い高品位な情報表示を可能としている。
【０００３】
しかし、有機ELディスプレイの場合、発光体である有機EL素子が有機物質で構成されているため、有機物質の腐食や劣化により、点灯時間の経過とともに発光特性が劣化し、輝度が低下することが知られている。このため、表示箇所によって累積点灯時間に差異がある場合には、それぞれの表示箇所によって輝度差が生じ、ユーザーが表示に対して違和感を持つことがある。
【０００４】
このような問題を改善するため、特許文献１では、有機EL素子の時間経過による輝度の変化に対応して、専用の輝度測定部と輝度調整部を設けることによって自動的に輝度を調整するといった技術が開示されている。
【先行技術文献】
【特許文献】
【０００５】
【特許文献１】特開２００４−１０１７４７号公報
【発明の概要】
【発明が解決しようとする課題】
【０００６】
しかしながら、上述の特許文献１に開示された従来技術では、有機ELディスプレイ専用の輝度測定部が必要であり、部品費用が発生する。また、装置の構造上、輝度測定部を配置することが困難な場合がある。
【０００７】
本発明の目的は、専用の輝度測定部を設けることなく、有機ELディスプレイの輝度調整を可能にした撮像装置を提供することにある。
【課題を解決するための手段】
【０００８】
上記課題を解決するために、本発明に係る撮像装置は、
光学系ファインダと、
光路を前記光学ファインダへ導く可動式ミラーと、
前記光学ファインダ内に配置された有機ELディスプレイを用いたファインダ内表示部と、
前記ファインダ内表示部の輝度を調整する輝度調整手段と、
前記光学系ファインダから導かれた光による被写体輝度と、前記ファインダ内表示部の表示輝度とを測定可能な位置に配置された測光部と、
を有することを特徴とする。
【発明の効果】
【０００９】
本発明によれば、専用の輝度測定部を設けることなく、有機ELディスプレイの輝度調整を可能にした撮像装置の提供を実現できる。
【図面の簡単な説明】
【００１０】
【図１】本発明の第１の実施形態における撮像装置の概要図である。
【図２】第１及び第２の実施形態におけるファインダ内表示部の各キャラクタの一例である。
【図３】第１及び第２の実施形態における回路構成である。
【図４】第１の実施形態における制御フローチャート（輝度調整を輝度調整モード時に実施する場合）である。
【図５】第１の実施形態における制御フローチャート（輝度調整を動画撮影モード時に実施する場合）である。
【図６】第１の実施形態における制御フローチャート（輝度調整をライブビューモード時に実施する場合）である。
【図７】第２の実施形態における制御フローチャート（輝度調整を輝度調整モード時に実施する場合）である。
【図８】第２の実施形態における制御フローチャート（輝度調整を動画撮影モード時に実施する場合）である。
【図９】第２の実施形態における制御フローチャート（輝度調整をライブビューモード時に実施する場合）である。
【発明を実施するための形態】
【００１１】
以下、本発明を実施するための形態を図面に基づいて説明する。
【００１２】
［第１の実施形態］
図１は、本発明の第１の実施形態における、撮像装置の概要図である。図１において、撮像装置は、カメラ本体（１００）、カメラ本体（１００）に着脱可能なレンズ（２００）で構成される。カメラ本体（１００）とレンズ（２００）の間は、装着時にコネクタ（１２１）により電気的に接続される。レンズ（２００）は、複数種類のカメラ本体に着脱可能に構成されていてもよい。まず、カメラ本体（１００）内の構成について説明する。カメラマイコン（１０１）は、カメラ本体（１００）の各部を制御するマイクロコンピュータである。
【００１３】
カメラ本体（１００）に電池（１０２）が装着されると、カメラ電源回路（１０３）からカメラマイコン（１０１）に電源が供給され、不図示の電源スイッチがＯＮされると、カメラマイコン（１０１）の制御により、各部へ電源が供給される。カメラマイコン（１０１）は、レンズ（２００）内のレンズマイコン（２０１）とコネクタ（１２１）を介して通信し、レンズ（２００）のズーム位置（焦点距離情報）、距離環位置（被写体距離情報）等のレンズ情報を取得可能である。また、カメラマイコン（１０１）は、レンズマイコン（２０１）との通信が可能かどうかを判断して、カメラ本体（１００）に対するレンズ（２００）の装着状態を判定することが可能である。
【００１４】
可動式ミラー（１０４）は、カメラマイコン（１０１）からの指示を受け付けた不図示のアクチュエータが駆動することにより、アップダウンが可能である。露光の際には、後述するシャッター（１０８）が開いた状態で可動式ミラー（１０４）がアップして撮像素子（１０９）を露光する。また、可動式ミラー（１０４）は、ハーフミラーで構成され、ダウン中は、サブミラー（１１６）を介してＡＦセンサ（１０７）に光を導く。
【００１５】
測光部（１０６）は、CCDやCMOSなどからなるイメージセンサであり、レンズ（２００）を通した被写体輝度を光電変換して出力する。撮影前に、可動式ミラー（１０４）によって導かれた光を受光し、被写体輝度を測定し、カメラマイコン（１０１）に測定値を送信する。また、測光部（１０６）は後述するファインダ内表示部（３００）の輝度も測定可能な位置に、ファインダ光学系（１１９）内に配置される。
【００１６】
サブミラー（１１６）は、可動式ミラー（１０４）のアップに連動して退避する。クイ可動式ミラー（１０４）がダウンしている間は、撮影者は、ペンタプリズム（１１５）と光学系ファインダ（１１９）を通してフォーカシングスクリーン（１０５）を観察することで、レンズ（２００）を通して得た像のピントや構図の確認が可能となる。シャッター（１０８）は、カメラマイコン（１０１）の制御で撮像素子（１０９）の露光時間を制御する。撮像素子（１０９）は、CCDやCMOSなどからなるイメージセンサであり、レンズ（２００）によって結像された被写体像を光電変換して画像信号として出力する。
【００１７】
ＡＤ変換ブロック（１１０）は、撮像素子（１０９）から入力されたアナログの画像出力信号をデジタル信号に変換する。この際、設定されているＩＳＯ感度に応じた変換を行なう。画像処理ブロック（１１１）は、静止画撮影時に、デジタル化された画像データに対してフィルタ処理や色変換処理、ガンマー／ニー処理を行なう。また、画像処理ブロック（１１１）は、ＡＤ変換ブロック（１１０）から入力される映像信号にホワイトバランス処理を施し、表示部（１１４）に出力する。また、画像処理ブロック（１１１）は、ＪＰＥＧなどの圧縮処理機能も有する。連写モードの場合は、画像データが不図示のバッファメモリに一時格納され、未処理の画像データがバッファメモリから読み出されて、画像処理ブロック（１１１）で画像処理や圧縮処理が行なわれる。そのため、連写枚数は、バッファメモリの記憶容量や記憶速度に左右される。
【００１８】
一方、動画撮影時には、画像処理ブロック（１１１）は、画像処理等を行ないながら動画データを表示部（１１４）に送信して表示させる。動画記録時には、動画データが記録媒体（１１３）に記憶される。記録媒体（１１３）は、撮影された画像データを記録する半導体メモリーカードなどからなり、カメラに着脱可能な記録媒体である。ただし、内蔵メモリであってもよい。メモリ（１１８）は、不揮発性メモリや揮発性メモリ等で構成され、後述するフローチャートの各種処理などのプログラムの格納や、カメラ状態の一時的に記憶しておくために用いられる。
【００１９】
カメラマイコン（１０１）は、撮影前に設定されているＩＳＯ感度、画像サイズ、画質に応じた画像サイズの予測値データを基に、記録媒体（１１３）の記憶容量を確認する。そして、カメラマイコン（１０１）は、撮影可能枚数や動画記録可能な時間を演算し、表示部（１１４）に表示する。
【００２０】
操作部（１１２）は、レリーズボタン等を備え、ユーザーの操作を受け付けて操作情報をカメラマイコン（１０１）に送信する。カメラマイコン（１０１）は、操作部（１１２）からの操作情報に応じて各部を制御して、撮影等の各種機能が実現される。例えば、操作部（１１２）上の不図示のレリーズボタンが半押し状態（ＳＷ１がＯＮ）になると、カメラマイコン（１０１）が各部を制御して撮影準備動作等が行なわれる。そして、レリーズボタンが全押し状態（ＳＷ２がＯＮ）になると、カメラマイコン（１０１）が各部を制御して撮影動作が行なわれる。操作部（１１２）には、レリーズボタンの他に、ＩＳＯ設定ボタン、画像サイズ設定ボタン、画質設定ボタン、情報表示ボタンなどスイッチ類が配置されており、カメラマイコン（１０１）によりスイッチの状態が検出されている。表示部（１１４）は、カメラマイコン（１０１）の表示命令に従って画像表示を行なう。表示部（１１４）には不図示のＬＥＤなどのバックライトが配置されている。
【００２１】
ファインダ内表示部（３００）は、有機EL素子を用いた表示装置で構成される。ファインダ内表示部（３００）はカメラの設定情報等を表示するための表示部であり、図２で示すように各キャラクタで構成され、各キャラクタの表示、非表示を制御することで、カメラモードやISO感度設定、シャッタースピード、絞り、ホワイトバランス設定、フォーカス設定、ドライブモード設定、電池残量等が表示することができ、ユーザーがファインダを覗いた状態でカメラの設定情報を識別できる。また、ファインダ内表示部（３００）は、表示内容、表示輝度などの設定値をファインダ内表示駆動部（１１７）によって設定される。
【００２２】
ファインダ内表示駆動部（１１７）は、カメラマイコン（１０１）からの命令に従ってファインダ内表示部（３００）を駆動する。また、ファインダ内表示駆動部（１１７）はカメラマイコン（１０１）に内蔵される構成でも構わない。カメラマイコン（１０１）は、レリーズボタンが半押し状態のときに、AFセンサ（１０７）の出力を用いてデフォーカス量を演算する。そして、カメラマイコン（１０１）は、演算したデフォーカス量に基づいて、レンズ（２００）内のレンズマイコン（２０１）とコネクタ（１２０）を介して通信し、レンズ駆動回路（２０６）を制御してピントを合わせる。カメラ電源回路（１０３）は、カメラを駆動するための電源である。図１では矢印を省略しているが、電源を必要とする各ブロックへと電源供給を行う。
【００２３】
次にレンズ（２００）内の構成について説明する。レンズマイコン（２０１）は、レンズ（２００）の各部の動作を制御するマイクロコンピュータである。レンズ電源回路（２０３）は、カメラ本体（１００）とのコネクタ（１２０）を介して電源供給を受け、レンズマイコン（２０１）の制御によりレンズ（２００）内の各部へ電源を供給する。撮影レンズ（２０２）は、フォーカスレンズを含む複数のレンズで構成される。レンズ駆動回路（２０６）は、例えばステッピングモータによって構成され、レンズマイコン（２０１）の制御によって撮影レンズ（２０２）におけるフォーカスレンズの位置を変化させることによりピントを合わせる。
【００２４】
絞り駆動回路（２０５）は、レンズマイコン（２０１）からの制御信号に応じて絞り（２０４）を変化させる。レンズマイコン（２０１）は、測光部（１０６）により検出された測光値に対応する制御データをカメラマイコン（１０１）から受信し、絞り駆動回路（２０５）に制御信号を出力する。
【００２５】
図３は、第１の実施形態における撮像装置の構成の一部を示す。各機能ブロックの動作制御を行うカメラマイコン（１０１）と、被写体輝度を測定する測光部（１０６）と、カメラの設定情報等を表示する有機EL素子を用いたファインダ内表示部（３００）と、カメラマイコン（１０１）からの命令によってファインダ内表示部（３００）を駆動するファインダ内表示駆動部（１１７）を有している。また、前述のようにファインダ内表示駆動部（１１７）はカメラマイコン（１０１）に内蔵される構成でも構わない。
【００２６】
カメラマイコン（１０１）は、カメラの設定情報に基づきファインダ内表示部（３００）への表示内容、表示輝度データをファインダ内表示駆動部（１１７）へ送信する。ファインダ内表示駆動部（１１７）は、カメラマイコン（１０１）から受信したデータに従って、ファインダ内表示部（３００）への駆動信号を出力する。
【００２７】
測光部（１０６）は、可動式ミラー（１０４）ダウンしている時は被写体輝度を測定し、カメラマイコン（１０１）に測定値を送信する。可動式ミラー（１０４）がアップしている時は、ファインダ内表示部（３００）の各キャラクタ輝度を測定し、カメラマイコン（１０１）に測定値を送信する。また、測光部（１０６）は光学系ファインダ（１１９）の、ファインダ内表示部（３００）の各キャラクタ輝度を測定可能な位置に配置され、ファインダ内表示部（３００）のそれぞれの各キャラクタ輝度を測定可能な分解能を有する。
【００２８】
図４に本発明の第１の実施形態における動作フローチャートを示す。ユーザーによって、ファインダ内表示部（３００）の輝度調整が実行される（S１０１）と、カメラマイコン（１０１）はミラーアップ動作（S１０２）を行う。
カメラマイコン（１０１）は、ミラーアップ動作（S１０２）後にファインダ内表示部（１１７）の全キャラクタを表示（S１０３）させる。
【００２９】
その後、測光部（１０６）はファインダ内表示部（３００）の各キャラクタ表示輝度を測定（S１０４）し、その測定輝度値をカメラマイコン（１０１）へ出力する。
カメラマイコン（１０１）は、測光部（１０６）より受け取ったファインダ内表示部（３００）の各キャラクタ表示輝度値と、メモリ（１１８）に格納されているファインダ内表示部（３００）の各キャラクタ表示初期輝度値との比較（S１０５）を行う。測定輝度値と初期輝度値が一致する場合は、カメラマイコン（１０１）がファインダ内表示部（１１７）を全消灯（S１０７）させ、ミラーダウン動作（S１０８）を行い撮影待機状態へと移行する。
【００３０】
一方、測定輝度値と初期輝度値が一致しない場合にはファインダ内表示部（３００）内の各々の表示セグメントの輝度を、初期輝度値と一致するよう輝度調整を行う（S１０６）。測定輝度値と初期輝度値とが一致した後、カメラマイコン（１０１）がファインダ内表示部（３００）を全消灯（S１０７）させ、ミラーダウン動作（S１０８）を行い撮影待機状態へと移行する。
【００３１】
このように、第１の実施形態によれば、可動式ミラー（１０４）がミラーアップしている時に被写体輝度を測定する測定部（１０６）を用いて、有機EL素子を用いたファインダ内表示部（３００）の各キャラクタ表示輝度を測定することにより、ファインダ内表示部（３００）専用の輝度測定部を設けることなく、有機EL素子を用いたファインダ内表示部（３００）の各キャラクタ表示輝度調整ができ、有機EL素子の劣化による各表示キャラクタの輝度差を目立たなくすることが可能である。さらに、専用の輝度測定部を設ける必要がないため、部品配置など、装置における構造上の制約が発生しない。
【００３２】
また、第１の実施形態では、ユーザーによってファインダ内表示部（３００）の各キャラクタ表示輝度調整が実施されるが、カメラの動作モードによって、ミラーアップが継続している際に、自動でファインダ内表示部（３００）の輝度調整を実施してもよい。ミラーアップが継続するカメラ動作モードとしては、動画撮影モードやライブビューモードなどがあり、その際の輝度調整の制御フローチャートを図５、図６に示す。
【００３３】
図５に第１の実施形態における制御フローチャート（輝度調整を動画撮影モード時に実施する場合）を示す。図６に第１の実施形態における制御フローチャート（輝度調整をライブビューモード時に実施する場合）を示す。
【００３４】
しかし、第一の実施形態においては、CCDやCMOSなどのイメージセンサからなる測光部（１０６）の画素数が十分に多くない場合や、ファインダ内表示部（３００）の各表示キャラクタサイズが十分に大きくない場合には、ファインダ内表示部（３００）の各表示キャラクタの表示輝度を正確に測定できないという可能性がある。そこで、測光部（１０６）の画素数が十分に多くない場合や、ファインダ内表示部（３００）の各表示キャラクタサイズが十分に大きくない場合でも、正確に表示輝度を測定可能にする輝度測定制御に関して、第２の実施形態で説明する。
【００３５】
［第２の実施形態］
第２の実施形態では、第１の実施形態における懸念事項を解決するための、撮像装置に関して説明する。図７に本発明の第２の実施形態における動作フローチャートを示す。
【００３６】
ユーザーによって、ファインダ内表示部（１１７）の輝度調整が実行される（S４０１）と、カメラマイコン（１０１）はミラーアップ動作（S４０２）を行う。カメラマイコン（１０１）は、ミラーアップ動作（S１０２）後にファインダ内表示部（１１７）の全キャラクタの中から、第１のキャラクタのみを表示（S４０３）させる。その後、測光部（１０６）はファインダ内表示部（３００）の表示輝度を測定（S４０４）し、その測定輝度値をカメラマイコン（１０１）へ出力する。
【００３７】
カメラマイコン（１０１）は、測光部（１０６）より受け取ったファインダ内表示部（３００）の輝度値と、メモリ（１１８）に格納されているファインダ内表示部（３００）の第１のキャラクタの初期輝度値との比較（S４０５）を行う。第１のキャラクタの測定輝度値と初期輝度値が一致する場合は、カメラマイコン（１０１）がファインダ内表示部（３００）の第１のキャラクタを消灯（S４０７）させる。第１のキャラクタの測定輝度値と初期輝度値が一致しない場合は、第１のキャラクタの輝度を、初期輝度値と一致するように輝度調整を行い（S４０６）、カメラマイコン（１０１）が第１のキャラクタを消灯させる（S４０７）。
【００３８】
次に第２のキャラクタを表示させ、測光部（１０６）はファインダ内表示部（３００）の表示輝度を測定（S４０４）し、その測定輝度値をカメラマイコン（１０１）へ出力する。カメラマイコン（１０１）は、測光部（１０６）より受け取ったファインダ内表示部（３００）の輝度値と、メモリ（１１８）に格納されているファインダ内表示部（３００）の第２のキャラクタの初期輝度値との比較（S４０５）を行う。第２のキャラクタの測定輝度値と初期輝度値が一致する場合は、カメラマイコン（１０１）がファインダ内表示部（３００）の第２のキャラクタを消灯（S４０７）させる。
【００３９】
第２のキャラクタの測定輝度値と初期輝度値が一致しない場合は、第１のキャラクタの輝度を、初期輝度値と一致するように輝度調整を行い（S４０６）、カメラマイコン（１０１）が第２のキャラクタを消灯させる（S４０７）。
【００４０】
上述のように、第１の表示キャラクタ、第２の表示キャラクタ・・・と表示、輝度測定、比較、輝度調整、消灯を実施（S４０９）し、全キャラクタの表示、輝度測定、比較が完了すると、ミラーダウン動作（S４１０）を行い撮影待機状態へと移行する。このように、第２の実施例によれば、CCDやCMOSなどのイメージセンサからなる測光部（１０６）の画素数が十分に多くない場合や、ファインダ内表示部（３００）の各表示キャラクタサイズが十分に大きくない場合にも、ファインダ内表示部（３００）の各表示キャラクタの表示輝度を正確に測定でき、有機EL素子を用いたファインダ内表示部（３００）の輝度調整が可能である。
【００４１】
また、第２の実施形態においても、ユーザーによってファインダ内表示部（３００）の輝度調整が実施されるが、カメラの動作モードによって、ミラーアップが継続している際に、自動でファインダ内表示部（３００）の輝度調整を実施してもよい。ミラーアップが継続するカメラ動作モードとしては、動画撮影モードやライブビューモードなどがあり、その際の輝度調整の制御フローチャートを図８、図９に示す。
【００４２】
図８に第２の実施形態における制御フローチャート（輝度調整を動画撮影モード時に実施する場合）を示す。図９に第２の実施形態における制御フローチャート（輝度調整をライブビューモード時に実施する場合）を示す。
【００４３】
以上、本発明の好ましい実施形態について説明したが、本発明はこれらの実施形態に限定されず、その要旨の範囲内で種々の変形及び変更が可能である。
【００４４】
［その他の実施例］
上述した第１、第２の実施形態にかかわる撮像装置を実現する為に実行するプログラムは、半導体メモリ、磁気ディスク、フロッピー（登録商標）ディスク等の記録媒体により供給される。または、有線あるいは、無線のネットワークを介してダウンロードしても良い。上記プログラムを、システムあるいはコンピュータが実行することにより、本発明の目的は達成される。よって、上述の実施形態の機能を実現するプログラム自体も本発明の一つである。
【符号の説明】
【００４５】
１００  カメラ本体、１０１  カメラマイコン、１０２  電池、
１０３  カメラ電源回路、１０４  可動式ミラー、１０５  フォーカシングスクリーン、
１０６  測光部、１０７  AFセンサ、１０８  シャッター、１０９  撮像素子、
１１０  AD変換ブロック、１１１  画像処理ブロック、１１２  操作部、
１１３  記録媒体、１１４  表示部、１１５  ペンタプリズム、１１６  サブミラー、
１１７  ファインダ内表示駆動部、１１８  メモリ、１１９  光学系ファインダ、
１２０  レンズコネクタ、２００  レンズ、２０１  レンズマイコン、
２０３  レンズ電源回路、２０２  撮影レンズ、２０３  レンズ電源回路、
２０４  絞り、２０５  絞り駆動回路、２０６  レンズ駆動回路、
３００  ファインダ内表示部
【図３】
2016102841.tif 000003
【図１】
2016102841.tif 000004
【図２】
2016102841.tif 000005
【図４】
2016102841.tif 000006
【図５】
2016102841.tif 000007
【図６】
2016102841.tif 000008
【図７】
2016102841.tif 000009
【図８】
2016102841.tif 000010
【図９】
2016102841.tif 000011